(57)【要約】【課題】構築する建築物の幅が小さくなるとともに外面が内側に変化するような躯体の変化に追従できるセルフクライミングステージを提供する。【解決手段】建築物Ｔの周囲に沿って配置されるユニットフレーム２により構成され、建築物Ｔの構築の上昇に伴い上昇するセルフクライミングステージ１であって、建築物Ｔに対し上昇駆動され、両側部からユニットフレーム２の端部が夫々挿入されるガイドフレーム４を備える。ガイドフレーム４の内部において、ユニットフレーム２の端部ユニット２ａが分解され上方に引き抜いて撤去される。なお、ユニットフレーム２及びガイドフレーム４の外周を覆う防護シート５を備える。【選択図】図３
2008308821.tif 000002
【特許請求の範囲】
【請求項１】
建築物の周囲に沿って配置されるユニットフレームにより構成され、建築物の構築の上昇に伴い上昇するセルフクライミングステージであって、
建築物に対し上昇駆動され、両側部から前記ユニットフレームの端部が夫々挿入されるガイドフレームを備えることを特徴とするセルフクライミングステージ。
【請求項２】
前記ガイドフレームの内部において、前記ユニットフレームの端部ユニットが分解され上方に引き抜いて撤去されることを特徴とする請求項１に記載のセルフクライミングステージ。
【請求項３】
前記ユニットフレームを外周側で互いに連結するピンと、
前記ユニットフレームを内周側で互いに間隔調整可能に連結する調整ジャッキと、を備えることを特徴とする請求項１または２に記載のセルフクライミングステージ。
【発明の詳細な説明】
【技術分野】
【０００１】
本発明は、セルフクライミングステージに関する。
【背景技術】
【０００２】
中高層の建築物の構築において、縦フレーム、水平フレーム及び筋交いからなる構造フレームに足場を取り付けた足場ユニットを、吊り上げ手段により吊り上げるセルフクライミング足場が用いられる（例えば特許文献１及び特許文献２参照）。
【特許文献１】特開２００４−２６３４８０号公報
【特許文献２】特開２００６−２９９５５９号公報
【発明の開示】
【発明が解決しようとする課題】
【０００３】
例えば鉄塔や高層タワーなど、高くなるにつれて躯体の幅が小さくなるとともに外面が内側に変化するような建築物の構築において、セルフクライミング足場の使用が考えられる。
しかし、躯体の幅が小さくなるとともに外面が内側に変化することから、従来のセルフクライミング足場では躯体の変化に追従できなかった。
【０００４】
本発明の課題は、構築する建築物の幅が小さくなるとともに外面が内側に変化するような躯体の変化に追従できるセルフクライミングステージを提供することである。
【課題を解決するための手段】
【０００５】
以上の課題を解決するため、請求項１に記載の発明は、建築物の周囲に沿って配置されるユニットフレームにより構成され、建築物の構築の上昇に伴い上昇するセルフクライミングステージであって、建築物に対し上昇駆動され、両側部から前記ユニットフレームの端部が夫々挿入されるガイドフレームを備えることを特徴とする。
【０００６】
請求項２に記載の発明は、請求項１に記載のセルフクライミングステージであって、前記ガイドフレームの内部において、前記ユニットフレームの端部ユニットが分解され上方に引き抜いて撤去されることを特徴とする。
【０００７】
請求項３に記載の発明は、請求項１または２に記載のセルフクライミングステージであって、前記ユニットフレームを外周側で互いに連結するピンと、前記ユニットフレームを内周側で互いに間隔調整可能に連結する調整ジャッキと、を備えることを特徴とする。
【発明の効果】
【０００８】
本発明によれば、セルフクライミングステージでありながら、構築する建築物の幅が小さくなるとともに外面が内側に変化するような躯体の変化に追従できる。
【発明を実施するための最良の形態】
【０００９】
以下、図を参照して本発明を実施するための最良の形態を詳細に説明する。
図１は本発明を適用した一実施形態の構成を示すもので、Ｔは超高層塔状建築物、１はセルフクライミングステージ１であり、図示例では、地上付近における初期高さのセルフクライミングステージ１ｓから最上部における最終高さのセルフクライミングステージ１ｔまでを示している。
【００１０】
図２及び図３は初期高さのセルフクライミングステージ１ｓを拡大したもので、図４は最終高さのセルフクライミングステージ１ｔを拡大したものであり、２はユニットフレーム、３は定着フレーム、４はガイドフレーム、５は防護シートである。
すなわち、セルフクライミングステージ１は、超高層塔状建築物Ｔの周囲に沿って配置されるユニットフレーム２を、超高層塔状建築物Ｔに対し定着フレーム３及びガイドフレーム４を介して支持し、これらユニットフレーム２、定着フレーム３及びガイドフレーム４の外面に沿って防炎メッシュシートによる防風機能を具備する防護シート５を貼り付けたものである。従って、このセルフクライミングステージ１は、防護シート５により周囲を囲まれた防風環境の下で、資機材の搭載及び荷揚げが行えるとともに、超高層塔状建築物Ｔの構築作業が行える足場兼用の防護設備でもある。
【００１１】
ユニットフレーム２は、図５に拡大して示したように、縦フレーム、水平フレーム及びブレース（引張材）からなるユニット単体２１を横方向に連結したものである。ユニット単体２１は、平面視台形状でその短辺側を、図３及び図４に示したように、超高層塔状建築物Ｔ側に向けて、反対の長辺側でピン結合部２２により互いに連結されるとともに、短辺側で調整ジャッキ２３を介して互いに連結されている。この調整ジャッキ２３は電動式で自動制御される。
なお、ユニットフレーム２は、例えば２０数ｍの高さで予め足場を組み込んで構築されている。
【００１２】
定着フレーム３は、図６に拡大して示したように、縦フレーム、水平フレーム及びブレース（引張材）からなる支柱状で、ユニットフレーム２よりも長いものである。この定着フレーム３は、下端にブラケット３１が備えられて、その上方に傾斜するガイドレール３２がレールホルダ３３を介して備えられている。以上の定着フレーム３は超高層塔状建築物Ｔの周囲に沿って等間隔に３本配置されて、その左右両側面に、ユニットフレーム２がピン結合部２５により夫々連結されている。
【００１３】
また、超高層塔状建築物Ｔの外面上部には上昇駆動装置６が備えられている。この上昇駆動装置６として実施形態ではリンクを一枚ずつに巻き上げていくパワーリンクが使用され、そのリンク６１の下端が定着フレーム３下端のブラケット３１に連結されている。
以上の上昇駆動装置６は、超高層塔状建築物Ｔの外面上部に突出した調整ジャッキ６２に吊り下げられている。そして、超高層塔状建築物Ｔの外面には、リンク６１をガイドするガイドローラ６３が設けられている。
【００１４】
図７はガイドレール３２のガイド構造を示したもので、図８にその要部を拡大して示している。すなわち、超高層塔状建築物Ｔを構築する鉄骨Ｔ１の外面には、左右一対の取り合いプレート６５が設けられて、この取り合いプレート６５に対し取り付け位置が３段階に変化する水平支持材６６が取り付けられている。この水平支持材６６には、図示のように、Ｈ形鋼によるガイドレール３２をガイドする左右一対のガイドローラ６７及びその間の滑動板６８が設けられている。
【００１５】
ガイドフレーム４は、縦フレーム、水平フレーム及びブレース（引張材）から構成されて、ユニットフレーム２よりも長くて厚みが大きく、ユニット単体２１より幅が十分に大きいものである。このガイドフレーム４は、定着フレーム３の間に等間隔に配置されて、両側部からユニットフレーム２の端部ユニット２ａが夫々挿入されている。
【００１６】
図９及び図１０はガイドフレーム４を拡大して示したもので、４１は下面ガイドローラ、４２は外面ガイドローラ、４３はブラケット、４４はガイドレール、７は上昇駆動装置、７２はブラケット、７４はガイドローラである。すなわち、ガイドフレーム４の内部には、ユニットフレーム２を載せる下面ガイドローラ４１と、ユニットフレーム２の外面を支える外面ガイドローラ４２が設けられている。なお、ユニットフレーム２の下面には、下面ガイドローラ４１に載るＨ形鋼によるガイドレール２４が設けられている。
【００１７】
そして、ガイドフレーム４の超高層塔状建築物Ｔ側の外面左右にブラケット４３が備えられている。
また、超高層塔状建築物Ｔの外面上部には上昇駆動装置７が備えられている。この上昇駆動装置７として、前記上昇駆動装置６と同様に実施形態ではリンクを一枚ずつに巻き上げていくパワーリンクが使用され、そのリンク７１の下端がガイドフレーム４のブラケット４３に連結されている。
以上の上昇駆動装置７は、超高層塔状建築物Ｔの外面上部に突出した調整ジャッキ７２に吊り下げられている。
【００１８】
さらに、ガイドフレーム４の超高層塔状建築物Ｔ側の外面左右に上下方向のガイドレール４４が備えられており、このガイドレール４４は鋼管で、超高層塔状建築物Ｔの外面に設けたガイドローラ７４に夫々ガイドされる。
【００１９】
次に、セルフクライミングステージ１を用いた超高層塔状建築物Ｔの構築作業について説明する。
先ず、地上付近における初期高さのセルフクライミングステージ１ｓにおいて、内部の足場を利用して資機材の搭載及び荷揚げを行い、超高層塔状建築物Ｔを構成する鉄骨の構築作業を行い、さらに、塗装等の仕上げ作業を行う。このような作業は、防護シート５により周囲を囲まれた防風環境の下で有利に行える。
【００２０】
所定の構築作業を終えると、セルフクライミングステージ１を次の構築作業ゾーンに上昇させる。すなわち、上昇駆動装置６・７を自動制御により同期駆動制御して、定着フレーム３のＨ形鋼によるガイドレール３２を、超高層塔状建築物Ｔを構築する鉄骨Ｔ１の外面に設けた左右一対のガイドローラ６７及びその間の滑動板６８に沿って上昇させるとともに、ガイドフレーム４の鋼管によるガイドレール４４を、超高層塔状建築物Ｔの外面に設けたガイドローラ７４に沿って上昇させる。
【００２１】
この場合、セルフクライミングステージ１の各所の荷重バランスを常時検出し、上昇駆動装置６・７が吊り下げられた調整ジャッキ６２・７２を個別の自動制御しながら、バランス良くセルフクライミングステージ１を上昇させる。
【００２２】
以上による上昇過程において、ユニットフレーム２のユニット単体２１間を連結する調整ジャッキ２３を、予め定められた超高層塔状建築物Ｔの外面形状の変化に基くプログラム制御により自動制御して、ユニット単体２１が互いにピン結合部２２を支点として屈曲角度を変化させることで、セルフクライミングステージ１の上昇に伴ってユニットフレーム２が超高層塔状建築物Ｔの外面形状に沿うように形状変化させる。
【００２３】
また、以上において、セルフクライミングステージ１の所定の上昇ストロークで超高層塔状建築物Ｔの外面形状の変化によりユニットフレーム２のユニット端部２ａだけ余るようになる場合は、ガイドフレーム４において予めユニット単体２１を一本だけ撤去しておく。
すなわち、ガイドフレーム４内の左右いずれか一方において、ピン結合部２２を外すとともに、調整ジャッキ２３も外して、ユニットフレーム２からユニット端部２ａを外しておく。そして、図２及び図９に示すように、タワークレーンを用いてユニット端部２ａを上方に引き抜いて撤去する。
【００２４】
これにより、ガイドフレーム４内には、撤去したユニット端部２ａの分だけ空間が生じるので、次のセルフクライミングステージ１の所定の上昇ストロークで超高層塔状建築物Ｔの外面形状の変化によりユニットフレーム２の端部がガイドフレーム４内を前進する。このとき、ユニットフレーム２下面のＨ形鋼によるガイドレール２４が下面ガイドローラ４１によりガイドされるとともに、ユニットフレーム２の外面が外面ガイドローラ４２によりガイドされながら夫々支えられる。
【００２５】
以上のように、実施形態のセルフクライミングステージ１によれば、超高層塔状建築物Ｔの足場兼防護設備として用いながら、その構築する超高層塔状建築物Ｔの幅が小さくなるとともに外面が内側に変化するような躯体の変化に追従することができる。
【００２６】
なお、以上の実施形態においては、超高層塔状建築物に適用したが、本発明は超高層や塔状に限定されるものではなく、高くなるにつれて躯体の幅が小さくなるとともに外面が内側に変化するような建築物であっても良い。
また、実施形態では、上昇駆動装置としてパワーリンクを使用したが、他にケーブルを巻き上げるウインチやチェーンを巻き上げる巻き上げ装置等であっても良い。
さらに、各種フレームの構成等も任意であり、その他、具体的な細部構造等についても適宜に変更可能であることは勿論である。
【図面の簡単な説明】
【００２７】
【図１】本発明を適用した一実施形態の構成を示すもので、セルフクライミングステージの初期高さから最終高さまでの一例を示した概略側面図である。
【図２】図１の初期高さのセルフクライミングステージを説明する拡大側面図である。
【図３】図２のセルフクライミングステージの平面図である。
【図４】図１の最終高さのセルフクライミングステージの拡大平面図である。
【図５】図２のユニットフレームの部分拡大図（ａ）と、その平面図（ｂ）である。
【図６】図３の矢印Ａ−Ａ線に沿って定着フレーム部分を示した断面図である。
【図７】図６のガイドレールのガイド構造の拡大図（ａ）と、その平面図（ｂ）である。
【図８】図７の拡大側面図（ａ）と、その横断平面図（ｂ）である。
【図９】図３の矢印Ｂ−Ｂ線に沿ってガイドフレーム部分を示した拡大断面図である。
【図１０】図３のガイドフレーム部分の拡大図である。
【符号の説明】
【００２８】
Ｔ  建築物
１  セルフクライミングステージ
２  ユニットフレーム
２ａ  端部ユニット
２１  ユニット単体
２２  ピン結合部
２３  調整ジャッキ
２４  ガイドレール
２５  ピン結合部
３  定着フレーム
３１  ブラケット
３２  ガイドレール
４  ガイドフレーム
４１  ガイドローラ
４２  ガイドローラ
４３  ブラケット
４４  ガイドレール
５  防護シート
６  上昇駆動装置
６２  調整ジャッキ
６３  ガイドローラ
６７  ガイドローラ
６８  滑動板
７  上昇駆動装置
７２  調整ジャッキ
７４  ガイドローラ
【図１】
2008308821.tif 000003
【図２】
2008308821.tif 000004
【図３】
2008308821.tif 000005
【図４】
2008308821.tif 000006
【図５】
2008308821.tif 000007
【図６】
2008308821.tif 000008
【図７】
2008308821.tif 000009
【図８】
2008308821.tif 000010
【図９】
2008308821.tif 000011
【図１０】
2008308821.tif 000012